(57)【要約】【課題】  カード処理装置において、部品点数を削減し、コストを低減する。【解決手段】  カード挿入口４２から挿入されたカード１７に追従して移動するスライダー１３は、引張りコイルばね１６に蓄積される引張力によってカード１７をカード挿入口４２から返却する。カード１７の後端に係合してカード１７を取り込む取込部材３３は、スライダー１３が電磁ソレノイド２８の駆動により、第１および第２のレバー２１，２３を介して移動することにより追従する。取り込まれたカード１７の移動を規制する規制部材３７は電磁ソレノイド３９の駆動により、スライダー１３のカード返却方向（矢印Ｂ方向）の移動を許容する。【選択図】  図３
2010198079.tif 000002
【特許請求の範囲】
【請求項１】
カード挿入口と、
このカード挿入口から挿入されたカードに追従して移動するスライダーと、
前記カードを前記カード挿入口から返却する方向に前記スライダーを付勢する第１の付勢手段と、
前記スライダーの移動に追従して移動し、前記カード挿入口から挿入されたカードの後端に係合してカードを装置内に取り込む取込部材と、
この取込部材によって装置内に取り込んだカードを処理するカード処理手段と、
前記スライダーを前記第１の付勢手段に抗して移動させ、前記取込部材を介してカードをカード取込部に取り込む第１の電磁ソレノイドと、
カードをカード取込部に取り込むことにより、前記第１の付勢手段の付勢力による前記スライダーの移動を規制する規制部材と、
この規制部材の規制を解除する第２の電磁ソレノイドとを備えたことを特徴とするカード処理装置。
【請求項２】
前記カード取込部に取り込まれたカードの一方の側端が当接する当接部材と、
この当接部材に前記カードの一方の側端を付勢する第２の付勢手段とを備えたことを特徴とする請求項１記載のカード処理装置。
【発明の詳細な説明】
【技術分野】
【０００１】
本発明は、カード挿入口から挿入されたカードを装置内に取り込んでデータを処理した後に、カード挿入口から返却するカード処理装置に関するものである。
【背景技術】
【０００２】
従来のカード処理装置としては、カード挿入口から挿入されたカードを装置内に取り込むための搬送ベルトおよびこれに対接するピンチローラと、搬送ベルトを走行させるために駆動ローラを駆動するモータとを備えたものがある（例えば、特許文献１参照）。
【先行技術文献】
【特許文献】
【０００３】
【特許文献１】特許第３４２８４６７号公報（段落〔００２３〕〜〔００２６〕、図１）
【発明の概要】
【発明が解決しようとする課題】
【０００４】
上述した従来のカード処理装置においては、搬送ベルトやモータの他に、搬送ベルトを張架するための複数個のローラや複数個のピンチローラおよびモータの駆動をローラに伝達するためのギア類等が必要となるために部品点数が増加するばかりか構造も複雑となるという問題があった。また、駆動源に相対的に高価な正逆方向に駆動が可能なモータを使用するためにコストも嵩むという問題もあった。
【０００５】
本発明は上記した従来の問題に鑑みなされたものであり、その目的とするところは、部品点数を削減し、コストを低減したカード処理装置を提供するところにある。
【課題を解決するための手段】
【０００６】
この目的を達成するために、本発明は、カード挿入口と、このカード挿入口から挿入されたカードに追従して移動するスライダーと、前記カードを前記カード挿入口から返却する方向に前記スライダーを付勢する第１の付勢手段と、前記スライダーの移動に追従して移動し、前記カード挿入口から挿入されたカードの後端に係合してカードを装置内に取り込む取込部材と、この取込部材によって装置内に取り込んだカードを処理するカード処理手段と、前記スライダーを前記第１の付勢手段に抗して移動させ、前記取込部材を介してカードをカード取込部に取り込む第１の電磁ソレノイドと、カードをカード取込部に取り込むことにより、前記第１の付勢手段の付勢力による前記スライダーの移動を規制する規制部材と、この規制部材の規制を解除する第２の電磁ソレノイドとを備えたものである。
【０００７】
本発明は、前記発明において、前記カード取込部に取り込まれたカードの一方の側端が当接する当接部材と、この当接部材に前記カードの一方の側端を付勢する第２の付勢手段とを備えたものである。
【発明の効果】
【０００８】
本発明によれば、カードの装置内への取込みおよび返却を従来のようにローラ類やベルトによって行わずに、スライダーや取込部材または付勢手段によって行うようにしたため、部品点数を削減することができる。また、駆動源として相対的に高価なモータを不要として、比較的廉価なソレノイドを使用することにより製造コストを低減することができる。
【０００９】
前記発明のうちの一つの発明によれば、カード返却口から返却されるカードが第２の付勢部材の付勢力によって、返却されるカードの移動速度が減速されるため、返却されるカードがカード返却口から脱落するようなことがない。
【図面の簡単な説明】
【００１０】
【図１】本発明に係るカード処理装置とカード収納装置とを正面側から視た斜視図である。
【図２】本発明に係るカード処理装置を背面側から視た斜視図である。
【図３】同図（Ａ）は本発明に係るカード処理装置のカバーを取り外した状態を示す正面図、同図（Ｂ）は同図（Ａ）におけるIII（Ｂ）-III（Ｂ） 線断面図、同図（Ｃ）は同図（Ａ）におけるIII （Ｃ）矢視図である。
【図４】本発明に係るカード処理装置のカード取込部形成板を取り外した状態を示す背面図である。
【図５】同図（Ａ）は図４においてカード支承部材を回動させる構造を説明するための背面図、同図（Ｂ）は同図（Ａ）におけるV（Ｂ）-V（Ｂ） 線断面図である。
【図６】同（Ａ）は本発明に係るカード処理装置において、カードを装置内に押し込んでいる状態を示す正面図、同図（Ｂ）は同図（Ａ）におけるVI（Ｂ）-VI（Ｂ） 線断面図である。
【図７】同図（Ａ）は本発明に係るカード処理装置において、カードを装置内に取り込んだ状態を示す正面図、同図（Ｂ）は同図（Ａ）におけるVII（Ｂ）-VII（Ｂ） 線断面図である。
【図８】図７（Ａ）におけるVIII-VIII 線断面図である。
【図９】本発明に係るカバーを取り外した状態のカード処理装置と一部破断して示すカード処理装置との正面図である。
【図１０】同図（Ａ）は図９におけるX（Ａ）-X（Ａ） 線断面図、同図（Ｂ）は図９におけるX（Ｂ）-X（Ｂ） 線断面図である。
【図１１】図１０（Ａ）における要部の断面図である。
【図１２】カード収納装置におけるカード収納箱を示し、同図（Ａ）は平面図、同図（Ｂ）は正面図、同図（Ｃ）は背面図である。
【図１３】同図（Ａ）はカード収納装置の正断面図、同図（Ｂ）は同図（Ａ）におけるXIII（Ｂ）-XIII（Ｂ） 線断面図である。
【図１４】カード収納箱と規制部材との係合を解除した状態を示すカード収納装置の正断面図である。
【図１５】収納箱収容部材内からカード収納箱が飛び出した状態を示すカード収納装置の正断面図である。
【発明を実施するための形態】
【００１１】
以下、本発明の実施の形態を図１ないし１５に基づいて説明する。
【００１２】
図１に全体を符号１で示すカード処理装置は、後述するカード挿入口４２から挿入されたカード１７を装置内に取込み、カード１７に記録されたデータを処理した後、カード挿入口４２から返却したり、カード収納装置２に収納する。
【００１３】
カード処理装置１は、後述するレバー類等の各種機構を搭載するとともに背面側に設けられる取込部形成板５（図２参照）と協働してカード取込部４４を形成する機構搭載用部材３と、この機構搭載用部材３の表面側を覆うカバー４とを備えている。
【００１４】
機構搭載用部材３は、略平板状に形成された機構搭載部１１と、後述する第１ないし第３の電磁ソレノイド２８，３９，５０を搭載する凹嵌状に形成されたソレノイド搭載部１２とによって構成されている。
【００１５】
図３において、１３は機構搭載部１１に形成した一対のガイド溝１４，１４に沿って、カード挿入方向および返却方向（矢印Ａ−Ｂ方向）に移動自在に支持されたスライダーであって、機構搭載部１１に設けたばね掛け部１５との間に懸架された第１の付勢手段としてのカード返却用の引張りコイルばね１６の引張力によって常時矢印Ｂ方向に付勢されている。
【００１６】
このスライダー１３の矢印Ａ方向の端部には、ガイド溝１４から機構搭載部１１の背面側に突出しカード挿入口４２から挿入されたカード１７の前端（矢印Ａ方向端）に係合する一対の係合突起１８，１８が突設されている。
【００１７】
また、スライダー１３の上部には係合片１９が一体に設けられており、この係合片１９の矢印Ｂ方向および矢印Ａ方向の端面には、後述する移動子３０の被係合部３０ａ，３０ｂのそれぞれに係合する係合部１９ａ，１９ｂが形成されている。２０はスライダー１３の略中央部に矢印Ｅ方向に一体に突設された小突起である。
【００１８】
２１は上部側が機構搭載部１１の表面に突設された軸２２に回動自在に支持された第１のレバーであって、下端部にスライダー１３の小突起２０に係入される長孔２１ａが設けられているとともに、上端部に後述する第２のレバー２３の背面側に突設された突起２３ａが係入される長孔２１ｂが設けられている。第２のレバー２３は正面視が略階段状に形成され、機構搭載部１１の表面に突設されたガイド部２４，２５によって矢印Ａ−Ｂ方向に移動自在に支持されている。
【００１９】
この第２のレバー２３の矢印Ａ方向の端部は、ピン２７を介してソレノイド搭載部１２に搭載された第１の電磁ソレノイド２８のロッド（図示を省略）に枢着されている。この第１の電磁ソレノイド２８は、後述する第１のセンサ５５によってカード１７の前端が検出されることにより、ロッドが矢印Ｂに後退し、これに追従して第２のレバー２３が矢印Ｂ方向に移動する。
【００２０】
したがって、この第２のレバー２３の矢印Ｂ方向への移動に追従して第１のレバー２１が軸２２を回動中心として図中時計方向に回動するため、スライダー１３が矢印Ａ方向に移動する。
【００２１】
３０は機構搭載部１１の表面に突設されたガイド３１，３１によって矢印Ａ−Ｂ方向に移動自在に支持された移動子であって、中央部に上述したスライダー１３の係合片１９の係合部１９ａ，１９ｂのそれぞれに係合する被係合部３０ａ，３０ｂが設けられている。
【００２２】
これら被係合部３０ａ，３０ｂは、被係合部３１ａが係合片１９の係合部１９ａに係合した図３の状態から、スライダー１９が矢印Ａ方向に距離Ｌ１だけ移動することにより、図６（Ａ）に示すように係合部１９ｂが被係合部３１ｂに係合するように、矢印Ａ−Ｂ方向に間隔をおいて設けられている。
【００２３】
また、移動子３０の被係合部３０ａ，３０ｂ間には、後述する規制部材３７がスライダー１３の係合片１９の係合部１９ａに係合するときに、移動子３０と干渉しないように切欠き３０ｃが設けられている。
【００２４】
３３は移動子３０の矢印Ｂ方向の端部にピン３４を介して枢支された取込部材であって、矢印Ｂ方向の端部に、同図（Ｂ）に示すように折曲形成されてカード１７の後端（矢印Ｂ方向端）に係合する爪３３ａが設けられている。
【００２５】
この取込部材３３には、カバー４のカム部４ａに係合する係合軸部３３ｂが設けられ、取込部材３３と移動子３０との間に懸架された引張りコイルばね３５によって係合軸部３３ｂがカム部４ａに係合する方向に付勢されている。
【００２６】
このような構成において、スライダー１３が矢印Ａ方向に移動し、係合片１９の係合部１９ｂが移動子３０の被係合部３０ｂに係合することにより、移動子３０が矢印Ａ方向に移動するとき、係合軸部３３ｂがカム部４ａに係合する。
【００２７】
この係合によって、取込部材３３がピン３４を回動中心として、同図（Ｂ）中反時計方向に回動し、爪３３ａが機構搭載部に設けた窓４ｂ（図２参照）から後述するカード挿入口４２側に進出する。
【００２８】
この進出によって爪３３ａがカード１７の後端に係合し、さらにスライダー１３が矢印Ａ方向に移動することにより、これに追従して矢印Ａ方向に移動する取込部材３３によってカード１７が矢印Ａ方向に移動し、後述するカード取込部４４にカード１７が取り込まれる。
【００２９】
３７は機構搭載部１１に突設した軸３８に基端部が回動自在に支持された規制部材であって、基端部側がソレノイド搭載部１２に搭載された第２の電磁ソレノイド３９のロッド３９ａに枢着されており、揺動端部側に係合部３７ａが突設されている。
【００３０】
この規制部材３７は、第２の電磁ソレノイド３９のロッド３９ａを前進させる圧縮コイルばね（図示せず）の弾発力によって、軸３８を回動中心として図中時計方向に付勢されている。
【００３１】
したがって、カード１７が取込部材３３の爪３３ａによって矢印Ａ方向に移動し、図７（Ｂ）に示すように装置内のカード取込部４４に取り込まれたときに、同図（Ａ）に示すように規制部材３７が時計方向に回動し、係合部３７ｂがスライダー１３の係合片１９の係合部１９ａに係合する。
【００３２】
この係合によって、スライダー１３の矢印Ｂ方向への移動を規制するため、後述するように引張りコイルばね１６の引張力に抗してカードの返却を規制して、カード１７が移動しないように保持する。
【００３３】
一方、第２の電磁ソレノイド３９を駆動し、ロッド３９ａを後退させることにより、規制部材３７を軸３８を回動中心として反時計方向に回動させて爪３７ａと係合片１９の係合部１９ａとの係合を解除すると、引張りコイルばね１６の引張力によってスライダー１３が矢印Ｂ方向に移動するから、カード１７がカード挿入口４２から返却される。
【００３４】
次に、主に、図２および図４を用いて、カード取込部について説明する。図２において、機構搭載部材３の機構搭載部１１の矢印Ｂ方向の端部には、機構搭載部１１と、この機構搭載部１１と互いに対向するように設けられる取込部形成板５とによって、カード１７を装置内に挿入するためのカード挿入口４２が設けられている。
【００３５】
機構搭載部１１と取込部形成板５との間には、このカード挿入口４２と連設されたカード搬送部４３と、このカード搬送部４３よりも矢印Ａ方向に位置するカード取込部４４とが形成されており、カード取込部４４の矢印Ａ方向の端部には段部１１ａが設けられている。図３（Ｂ）において、４５はカード取込部４４に取り込まれたカード１７に記録されているデータを非接触状態で処理するアンテナ基板である。
【００３６】
カード搬送部４３とカード取込部４４との下方には、図２および図８に示すように矢印Ａ−Ｂ方向に延在するカード落下口４４ａが設けられている。このカード落下口４４ａには、矢印Ａ−Ｂ方向に延在するように軸４７を介して機構搭載部１１に回動自在に支持されたカード支承部材４６が設けられており、このカード支承部材４６の上部には、図８に示すようにカード１７の下端を支承する支承部４６ａが折曲形成されている。
【００３７】
図５（Ｂ）において、４６ｂはカード支承部材４６の矢印Ａ方向の端部に一体に突設された操作用の突起であって、図３（Ａ）に示すように、機構搭載部１１に設けた孔１１ｂから装置の外部に露呈しており、この操作用の突起４６ｂを手動によって操作することにより、カード支承部材４６を回動操作することが可能となる。
【００３８】
このカード支承部材４６はピン４８を介して、図３および図５（Ａ）に示すように、ソレノイド搭載部１２に搭載された第３の電磁ソレノイド５０のロッド５０ａに枢着されている。
【００３９】
このカード支承部材４６は、ロッド５０ａを前進させる方向に付勢する圧縮コイルばね５１によって、軸４７を回動中心として図５（Ｂ）中時計方向に回動し支承部４６ａがカード搬送部４３とカード取込部４４とに進出してカード１７の下端を支承する。
【００４０】
一方、第３の電磁ソレノイド５０を駆動し、ロッド５０ａを後退させることにより、同図（Ｂ）に示すようにカード支承部材４６が軸４７を回動中心として反時計方向に回動し、図８に示すように支承部４６ａが図中二点鎖線で示すようにカード搬送部４３とカード取込部４４から退避する。
【００４１】
ピン４８が軸４７よりも図５（Ｂ）に示すように間隔Ｌ２だけ、矢印Ｆ方向に位置していることにより、進出位置において水平状態に姿勢が保たれていた支承部４６ａが軸４７を回動中心として反時計方向に回動すると、支承部４６ａは上方にδ１だけ持ち上がるように回動する。したがって、このカード支承部材４６の回動によって、支承部４６ａに下端が支承されているカード１７は上方（矢印Ｃ方向）にδ１だけ持ち上げられる。
【００４２】
カード取込部４４の上端には、図４に示すように機構搭載部１１に設けられた一対のガイド溝５０，５０によって上下方向（矢印Ｃ−Ｄ方向）に移動自在に支持された当接部材５１が設けられている。
【００４３】
この当接部材５１と機構搭載部１１に設けられたばね止め部５２との間には第２の付勢手段として圧縮コイルばね５３が弾装されており、後述するようにカード取込部４４に取り込まれたカード１７の上端は、当接部材５１を介して圧縮コイルばね５３の弾発力によって下方に付勢され、カード１７の下端は支承部材４６の支承部４６ａに圧接される。
【００４４】
このような構成において、カード挿入口４２から装置内に挿入されたカード１７は、幅方向が鉛直方向を指向するようにして、カード搬送部４３を搬送されカード取込部４４に取り込まれる。なお、ここでの「幅」とは、本実施例ではカード１７の短辺のことを指すが、長辺方向が鉛直方向を指向するようにしてもよい。
【００４５】
図３において、５５はカード挿入口４２から手によって挿入されたカード１７の前端を検出する第１のセンサであって、カード１７の前端を検出することにより、上述した第１の電磁ソレノイド２８を駆動し、第２のレバー２３および第１のレバー２１を介して、スライダー１３を矢印Ａ方向に移動させて、カード１７をカード取込部４４に取り込む。
【００４６】
５６は、第１の電磁ソレノイド２８の駆動によってカード取込部４４に取り込んだカード１７の後端を検出し、第１の電磁ソレノイドの駆動を停止させる第２のセンサである。５７は第３の電磁ソレノイド５０の駆動により、カード支承部材４６を回動させて、後述するようにカード収納装置２に収納するカード１７の上端部を検出して、第３の電磁ソレノイド５０の駆動を停止させる第３のセンサである。
【００４７】
次に、図１および図９ないし図１５を用いて、カード収納装置２について説明する。先ず、図１、図１１、図１２を用いて、カード収納箱について説明する。カード収納装置２は、図１に示すようにカード１７を収納するカード収納箱６と、カード収納箱６を挿抜自在に収容する収納箱収容部材７とによって構成されている。
【００４８】
カード収納箱６は、図１および図１２に示すように底板６１、互いに対向する両側板６２，６３、背面板６４および前面部材６５によって上方が開口した箱状に形成されている。
【００４９】
背面板６４には、図１２（Ｃ）に示すように後述する係合部材８３の爪８３ａが係合する矩形状の係合孔６６が形成されている。両側板６２，６３の上部であって矢印Ａ方向側には、同図（Ｂ）に示すようにカードの取り出しを容易にするための矩形状の切欠き６２ａ，６３ａが設けられている。
【００５０】
一方の側板６２の内壁には、底板６３に跨るようにして下方から上方に向かって漸次幅が狭くなる傾斜角αに形成された傾斜部６７ａを有する三個の傾斜リブ６７Ａないし６７Ｃが他方の側板６３に向かって突設されている。
【００５１】
これら三個の傾斜リブ６７Ａないし６７Ｃのうち、二個の傾斜リブ６７Ａ，６７Ｂの上部は、切欠き６２ａを設けたことにより一部が除去されており、図１１に示すように台形状に形成されている。
【００５２】
他方の側板６３の内壁の下端には、傾斜リブ６７の傾斜部６７ａの傾斜方向と反対方向に傾斜する傾斜部を有し、カード収納箱６１内に収納される一番目のカード１７の下端を支承する小リブ６８が複数個突設されている。傾斜リブ６７の下端と他方の側板６３との間には、一枚のカード１７の厚みｔよりも大きく二枚のカード１７の厚み２ｔよりも小さい隙間δ２が設けられている。他方の側板６３の上部には、一方の側板６２側に迫り出した迫り出し部６３ｂが形成されている。
【００５３】
次に、図１、図１０および図１３ないし１５を用いて、収納箱収容部材７について説明する。収納箱収容部材７は、図１に示すように底板７１、背面板７２および上板７３からなる逆コの字状に形成されたフレーム７４と、このフレーム７４に取り付けられ、両側板７５，７６、天井部材７７および背面側に設けられたソレノイド収納部７８からなりカード収納箱６を収容するための開口７９を有する収容ケース８０とによって構成されている。開口７９から収納箱収容部材７内に収容されたカード収納箱６の両側板６２，６３は、収容ケース８０の両側板７５，７６のそれぞれと対向する。
【００５４】
フレーム７４の上板７３には、カード１７を受け入れるための収納口７３ａが設けられており、この収納口７３ａがカード処理装置１のカード落下口４４ａの直下に位置するように、収納箱収容部材７が配設されている。なお、図示を省略しているが、収納口７３ａに対応して収容ケース７９の天井部材７７に収納口が設けられている。
【００５５】
収容ケース７９の一方の側板７５には、図１０（Ｂ）に示すようにカード収納箱６の傾斜リブ６７Ａ，６７Ｂの上方に対応した部位に、切欠き６２ａを設けたことにより傾斜リブ６７Ａ，６７Ｂの上部の一部を除去した部分を補完するための補完リブ７５ａが設けられている。また、他方の側板７６の側板６３の切欠き６３ａに対応した部位には、カード収納箱６の迫り出し部６３ｂと協働してカード１７を傾斜リブ６７に倒れ込ませる迫り出しリブ７６ａが設けられている。
【００５６】
ソレノイド収納部７８の前面板８２には、図１３（Ａ）に示すように角穴８２ａと丸孔８２ｂとが設けられている。８３は軸８４を中心としてソレノイド収納部７８内に回動自在に支持された係合部材であって、揺動端部に形成された係合爪８３ａが角穴８２ａから前面板８２の外側に突出している。
【００５７】
８５はソレノイド収納部７８内に収納された第４の電磁ソレノイドであって、進退自在なロッド８５ａにはピン８６を介して係合部材８３の基端部が枢着されている。この第４の電磁ソレノイド８５は非駆動状態のときに、図示を省略した付勢手段によってロッド８５ａが前進し、係合部材８３は軸８４を回動中心として図中反時計方向に付勢されている。一方、第４の電磁ソレノイド８５を駆動すると、ロッド８５ａが後退し、係合部材８３は軸８４を回動中心として図中時計方向に回動する。
【００５８】
８８はソレノイド収納部７８内に矢印Ａ−Ｂ方向に移動自在に支持された押し出し棒であって、鍔８８ａとソレノイド収納部７８との間に弾装された圧縮コイルばね８９の弾発力によって、矢印Ｂ方向に付勢され、丸孔８２ｂから前面板８２の外側に突出している。
【００５９】
このような構成において、カード収納箱６を、図１に示すように収容ケース８０の開口７９から、両側板７５，７６および底板７１をガイドとして収納箱収容部材７に挿入すると、カード収納箱６の背面板６４が、図１４に示すように係合部材８３の係合爪８３ａに当接するとともに、押し出し棒８８の先端がカード収納箱６の背面板６４に当接する。
【００６０】
さらに、押し出し棒８８を介する圧縮コイルばね８９の弾発力に抗して、カード収納箱６を矢印Ａ方向に挿入することにより、係合部材８３が軸８４を回動中心として図中時計方向に回動し、係合爪８３ａが係合孔６６からカード収納箱６内に進出する。
【００６１】
さらに、カード収納箱６を矢印Ａ方向に挿入することにより、図１３に示すように係合爪８３ａが係合孔６６の上端縁に係合し、カード収納箱６が収納箱収容部７内に収容される。
【００６２】
カード収納箱６が収納箱収容部７内に収容されると、図１０（Ｂ）に示すように傾斜リブ６７Ａ，６７Ｂの上部の一部を除去した部分に収容ケース８０の一方の側板７５に設けた補完リブ７５ａ，７５ａが位置するとともに、カード収納箱６の他方の側板６３の切欠き６３ａに収容ケース８０の他方の側板７６に設けた迫り出しリブ７６ａが位置する。
【００６３】
カード収納箱６を収納箱収納部７から取り外すには、第４の電磁ソレノイド８５を駆動し、ロッド８５を後退させることにより、図１４に示すように係合部材８３が軸８４を回動中心として図中時計方向に回動するので、係合爪８３ａと係合孔６６との係合が解除される。
【００６４】
この第４の電磁ソレノイド８５を駆動し、係合部材８３が軸８４を回動中心として図中時計方向に回動したときに、係合部材８３の下面（係合爪８３ａと反対側の面）８３ｂが係合孔６６の下面である摺接面６６ａに当接する。
【００６５】
係合爪８３ａと係合孔６６との係合が解除されると、圧縮コイルばね８９の弾発力によって、押し出し棒８８がカード収納箱６の背面板６４を矢印Ｂ方向に押圧するため、カード収納箱６は、図１５に示すように収納箱収容部材７の開口７９から突出する。
【００６６】
次に、このように構成されたカード処理装置におけるカードの処理動作について説明する。予め、第１の電磁ソレノイド２８は非駆動状態となっており、第２のレバー２３が、図３（Ａ）に示すように矢印Ａ方向に移動した状態に位置し、第２のレバー２１が軸２２を回動中心として反時計方向に回動した状態に位置している。
【００６７】
したがって、スライダー１３が矢印Ｂ方向側に位置し、係合片１９の係合部１９ａと被係合部３０ａが係合している移動子３０が矢印Ｂ方向側に移動しているので、取込部材３３の爪３３ａが同図（Ｂ）に示すようにカード挿入口４２から退避した位置に移動している。
【００６８】
また、第２の電磁ソレノイド３９が非駆動状態となっており、規制部材３７は第２の電磁ソレノイド３９のロッド３９ａを前進させる圧縮コイルばね（図示せず）の弾発力によって、軸３８を回動中心として図中時計方向に付勢されて、係合部３７ａが移動子３０の上面に載置された状態となっている。
【００６９】
また、第３の電磁ソレノイド５０が非駆動状態となっており、支承部材４６が、図８に実線で示すように軸４７を回動中心として時計方向に回動され、支承部４６ａがカード搬送部４３とカード取込部４４内に進出している。
【００７０】
さらに、第４の電磁ソレノイド８５が、図１３に示すように非駆動状態となっており、カード処理装置１の直下に配設された収納箱収容部材７内に収容されているカード収納箱６の係合孔６６に係合部材８３の爪８３ａが係合している。
【００７１】
この状態で、カード１７を手によって、図４に示すようにカード挿入口４２から装置内のカード搬送部４３に、カード１７の幅方向を鉛直方向（矢印Ｃ−Ｄ方向）に指向させた状態で矢印Ａ方向に挿入する。
【００７２】
カード１７の前端（矢印Ａ方向端）がスライダー１３の係合突起１８，１８に係合することにより、カード１７の矢印Ａ方向への移動に追従して、スライダー１３が引張りコイルばね１６の引張力に抗して矢印Ａ方向に移動を開始する。
【００７３】
スライダー１３が矢印Ａ方向に移動を開始してからしばらくして、スライダー１３と一体に移動する係合片１９の他方の係合部１９ｂが移動子３０の他方の被係合部３０ｂに係合するので、移動子３０がスライダー１３の移動に追従して矢印Ａ方向に移動する。
【００７４】
この移動子３０の矢印Ａ方向への移動により、取込部材３３の係合軸部３３ｂがカバー４のカム部４ａに係合することにより、引張りコイルばね３５の引張力に抗して爪３３ａが、図６（Ｂ）に示すようにカード挿入口４２に進出するため、爪３３ａがカード１７の後端に係合する。
【００７５】
このように、爪３３ａがカード挿入口４２内に進出することにより、この爪３３ａが２枚目以降のカードのカード挿入口４２への挿入を阻止するシャッタの機能も兼ね備える。
【００７６】
カード１７の前端が、図６（Ａ）に示すように第１のセンサ５５に検出されると、第１の電磁ソレノイド２８が駆動し、ロッド（図示せず）が後退することにより、第２のレバー２３が矢印Ｂ方向に移動する。
【００７７】
この第２のレバー２３の矢印Ｂ方向への移動により、第１のレバー２１が軸２２を回動中心として図中時計方向に回動するため、小突起２０を介してスライダー１３が引張りコイルばね１６の引張力に抗して矢印Ａ方向に移動する。
【００７８】
この移動は、係合片１９を介して移動子３０に伝達され、移動子３０が矢印Ａ方向に移動するため、これと一体に移動する取込部材３３の爪３３ａによってカード１７の後端が矢印Ａ方向に移動し、図７（Ａ）に示すようにカード１７がカード取込部４４に取り込まれる。
【００７９】
カード１７がカード取込部４４に取り込まれると、カード１７の後端が第２のセンサ５６によって検出されるため、第１の電磁ソレノイド２８の駆動が停止し、第２のレバー２３の矢印Ｂ方向への移動が停止する。
【００８０】
したがって、第１のレバー２１およびスライダー１３を介しての移動子３０の移動も停止するため、取込部材３３によるカード１７の取込み動作も停止する。同時に、規制部材３７が第２の電磁ソレノイド３９のロッド３９ａを前進させる圧縮コイルばね（図示せず）の弾発力によって、軸３８を回動中心として図中時計方向に回動することにより、係合部３７ａが移動子３０の切欠き３０ｃ内を通過して係合部材１９の係合部１９ａに係合する。
【００８１】
したがって、スライダー１３は引張りコイルばね１６に蓄積された引張力に抗して矢印Ｂ方向への移動が規制されるため、カード１７はカード取込部４４に取り込まれた状態が保持される。カード取込部４４に取り込まれたカード１７の下端は、カード取込部４４に進出している支承部材４６の支承部４６ａに支承される。
【００８２】
一方、カード１７の上端には、図８に示すように当接部材５１が当接し、この当接部材５１を介して、図４に示すように圧縮コイルばね５３の弾発力によって、カード１７が下方に付勢されるため、カード１７は支承部材４６と当接部材５１とによって挟持される。
【００８３】
この状態で、アンテナ基板４５を介して、カード１７に記録されたデータが非接触の状態で処理される。処理した結果、カード１７を返却する場合は、第２の電磁ソレノイド３９を駆動する。
【００８４】
この駆動によって、ロッド３９ａが後退することにより、規制部材３７が軸３８を回動中心として反時計方向に回動するため、規制部材３７の係合部３７ａと係合部材１９の係合部１９ａとの係合が解除される。
【００８５】
したがって、スライダー１３が引張りコイルばね１６に蓄積された引張力によって矢印Ｂ方向に移動するため、前端がスライダー１３の係合突起１８に係合しているカード１７も矢印Ｂ方向に移動して、図３（Ａ）に示すようにカード挿入口４２から返却される。
【００８６】
このとき、圧縮コイルばね５３の弾発力によって、カード１７が支承部材４６と当接部材５１とによって挟持されているため、カード挿入口４２から返却されるカード１７の返却速度が減速されるから、カード１７がカード挿入口４２から必要以上に突出したり、脱落したりするのを防止することができる。
【００８７】
このように、カード１７の装置内への取込みおよび返却を従来のようにローラ類やベルトによって行わずに、スライダー１３や取込部材３３または引張りコイルばね１６によって行うようにしたため、部品点数を削減することができる。また、駆動源として相対的に高価なモータを不要として比較的廉価な電磁ソレノイドを使用することにより製造コストを低減することができる。
【００８８】
ここで、アンテナ基板４５を介して、カード１７に記録されたデータを処理した結果、カード１７をカード収納装置２に収納する必要が生じた場合は、カード取込部４４に取り込まれた図７に示す状態において、第３の電磁ソレノイド５０を駆動する。
【００８９】
第３の電磁ソレノイド５０の駆動により、ロッド５０ａが、図５（Ａ）に示すように圧縮コイルばね５１の弾発力に抗して後退する（矢印Ｃ方向に移動する）ため、同図（Ｂ）に示すように支承部材４６が軸４７を回動中心として図中反時計方向に回動する。
【００９０】
したがって、カード１７の下端を支承していた支承部材４６の支承部４６ａが図中二点鎖線で示す位置に移動するため、カード１７が矢印Ｄ方向に移動して落下口４４ａから落下する。このとき、支承部材４６の支承部４６ａによって、カード１７が一旦上方（矢印Ｃ方向）にδ１だけ持ち上げられるため、当接部材５１を介してカード１７を下方に付勢している圧縮コイルばね５３に付勢力が一時的に蓄積される。
【００９１】
このため、この蓄積された付勢力によって、カード１７が下方に確実に落下するから、カード詰まりを起こすことなくカード収納装置２に収納することができる。落下するカード１７の上端が第３のセンサ５７によって検出されると、第３の電磁ソレノイド５０への駆動が停止する。
【００９２】
また、収納動作中に停電が発生して第３の電磁ソレノイド５０を駆動することができなくなった場合は、機構搭載部１１に設けた孔１１ｂから装置の外部に露呈している支承部材４６に設けた操作用の突起４６ｂを手動によって操作することにより、カード支承部材４６を回動操作することができるため、カード１７をカード収納装置２内に収納することができる。
【００９３】
支承部材４６が回動することにより、カード処理装置１から落下したカード１７は、図１０（Ａ）に示すようにカードの幅方向が鉛直方向を指向した状態で、収納箱収容部材７の収納口７３ａからカード収納箱６内に収納される。カード収納箱６内に収納されたカード１７は、カード収納箱６の一方の側板６２に設けられた傾斜リブ６７Ａないし６７Ｃによって、これら傾斜リブ６７Ａないし６７Ｃの傾斜面６７ａ上に倒れ込む。
【００９４】
このとき、傾斜リブ６７Ａないし６７Ｃが設けられた一方の側板６２に対向する他方の側板６３に一方の側板６２に向かって迫り出した迫り出し部６３ｂが設けられているため、この迫り出し部６３ｂによって、カード収納箱６内を落下するカード１７は強制的に傾斜リブ６７Ａないし６７Ｃ側に倒れ込む。したがって、カード１７は傾斜リブ６７Ａないし６７Ｃ上に互いに隙間なく鱗状に積載されるから、カード詰まりが発生するようなことがない。
【００９５】
また、この迫り出し部６３ｂによって、側板６３に沿うようにして鉛直方向にカード１７が落下するようなことがないから、誤ってカード１７が側板６３に沿って鉛直方向を指向した状態で積載されるようなこともない。さらに、傾斜リブ６７Ａないし６７Ｃの下端と側板６３との間に一枚のカードの厚みｔよりも大きく二枚のカードの厚み２ｔよりも小さい隙間δ２を設けたことにより、カード１７の下端がこの隙間に嵌り込むようなこともない。
【００９６】
また、両側板６２，６３の切欠き６２ａ，６３ａに相当する部位に、補完リブ７５ａや迫り出しリブ７６ａを設けたことにより、カード１７をより一層確実に傾斜リブ６７Ａないし６７Ｃの傾斜面６７ａ上に隙間なく積載することができる。
【００９７】
カード収納箱６内に収納されたカード１７を回収する場合は、第４の電磁ソレノイド８５を駆動する。この駆動によってロッド８５ａが後退することにより、図１４に示すように係合部材８３が軸８４を回動中心として時計方向に回動するため、係合爪８３ａと係合孔６６との係合が解除される。
【００９８】
したがって、圧縮コイルばね８９の弾発力によって押し出し棒８８を介してカード収納箱６が矢印Ｂ方向に移動する。このとき、係合部材８３の下面が係合孔６６の摺接面６６ａをわずかな時間だけ摺接するように、第４の電磁ソレノイド８５を所定の時間だけ駆動し続ける。
【００９９】
この係合部材８３の下面と係合孔６６の摺接面６６ａとの摺接によって生じる摩擦力によって、収納箱６１の矢印Ｂ方向への移動速度が減速されるから、収納箱６が開口７９から必要以上飛び出したり、収納箱収容部材７から脱落したりするようなことがない。
【０１００】
収納箱収容部材７の開口７９から外部に突出した前面部材６５を把持し、カード収納箱６を収納箱収容部材７から引き出し、カード収納箱６からカード１７を取り出して回収する。
【０１０１】
カード１７の回収が終了したカード収納箱６を、図１に示すように収納箱収容部材７の開口７９内に差し入れ、矢印Ａ方向に移動させると、カード収納箱６の背面板６４が、図１４に示すように係合部材８３の係合爪８３ａに当接するとともに、押し出し棒８８の先端がカード収納箱６の背面板６４に当接する。
【０１０２】
さらに、圧縮コイルばね８９の弾発力に抗して、カード収納箱６を矢印Ａ方向に挿入することにより、係合部材８３が軸８４を回動中心として図中時計方向に回動し、係合爪８３ａが係合孔６６からカード収納箱６内に進出する。さらに、カード収納箱６を矢印Ａ方向に挿入することにより、図１３に示すように係合爪８３ａが係合孔６６の上端縁に係合し、空のカード収納箱６が収納箱収容部材７内に収容される。
【符号の説明】
【０１０３】
１…カード処理装置、２…カード収納装置、３…機構搭載用部材、４…カバー、４ａ…カム溝、６…カード収納箱、７…収納箱収容部、１３…スライダー、１６…引張りコイルばね（第１の付勢手段）、１７…カード、１９…係合片、２１…第１のレバー、２３…第２のレバー、２８…第１の電磁ソレノイド、３０…移動子、３３…取込部材、３７…規制部材、３９…第２の電磁ソレノイド、４２…カード挿入口、４４…カード取込部、４６…支承部材、５０…第３の電磁ソレノイド、５１…当接部材、５３…圧縮コイルばね（第２の付勢手段）、５５…第１のセンサ、５６…第２のセンサ、５７…第３のセンサ、６３ｂ…迫り出し部、６６…係合孔、６７Ａないし６７Ｃ…傾斜リブ、７５ａ…補完リブ、７６ａ…傾斜リブ、８０…収納ケース、８３…係合部材、８５…第４の電磁ソレノイド、８８…押し出し棒、８９…圧縮コイルばね。
【図１】
2010198079.tif 000003
【図２】
2010198079.tif 000004
【図３】
2010198079.tif 000005
【図４】
2010198079.tif 000006
【図５】
2010198079.tif 000007
【図６】
2010198079.tif 000008
【図７】
2010198079.tif 000009
【図８】
2010198079.tif 000010
【図９】
2010198079.tif 000011
【図１０】
2010198079.tif 000012
【図１１】
2010198079.tif 000013
【図１２】
2010198079.tif 000014
【図１３】
2010198079.tif 000015
【図１４】
2010198079.tif 000016
【図１５】
2010198079.tif 000017